(57)【要約】【課題】  紙幣搬送コンベアーを上流側コンベアーと下流側コンベアーとに分け、上流側コンベアーと下流側コンベアーとの間に離脱可能な分離コンベアーを設けて、研磨機の交換を容易にする。【構成】  上流側コンベアー本体５０と下流側コンベアー本体５１との間に分離コンベアー５２が設ける。分離コンベアー５２は、上流側コンベアー本体５０内の主動無端ベルト１２ａ及び従動無端ベルト１３ａと下流側コンベアー本体５１内の主動無端ベルト１２ｂ及び従動無端ベルト１３ｂとの間に近在して変位する分離側主動無端ベルト５４及び分離側従動無端ベルト５５と、前記主動無端ベルト５４及び従動無端ベルト５５を収納する分離コンベアー本体５６とからなり、上流側及び下流側コンベアー本体５０及び５１のいずれか一方に分離コンベアー本体５６をいずれか他方から離脱可能にする。【選択図】    図３
2005011306.tif 000002
【特許請求の範囲】
【請求項１】
下部開放のコンベアー本体と、該コンベアー本体内に収納しかつ駆動部により前記コンベアー本体全長にわたりベルト面を水平にして回転する主動無端ベルトと、前記コンベアー本体内に収納しかつ前記主動無端ベルトに下方から接して同方向に走行し玉貸機ごとに設けた複数の従動無端ベルトと、該複数の従動無端ベルトに前記主動無端ベルトの駆動力をそれぞれ伝達する伝動部と、前記複数の従動無端ベルト間における受渡し部にそれぞれ設けた紙幣受入口と、からなり、前記主動無端ベルトと前記従動無端ベルトとの間に紙幣をはさみ搬送することを特徴とする紙幣搬送コンベアー。
【請求項２】
前記コンベアー本体をその任意箇所で上流側コンベアー本体と下流側コンベアー本体とに分け、これら上流側及び下流側コンベアー本体間に分離コンベアーを設けた請求項１記載の紙幣搬送コンベアー。
【請求項３】
前記分離コンベアーは、上流側コンベアー本体内の主動及び従動無端ベルトと下流側コンベアー本体内の主動及び従動無端ベルトとの間に近在して回転する分離側主動及び従動無端ベルトと、これら両無端ベルトを収納する分離コンベアー本体とからなり、前記上流側及び下流側コンベアー本体のいずれか一方に前記分離コンベアー本体をいずれか他方から離脱可能に取り付けた請求項２記載の紙幣搬送コンベアー。
【発明の詳細な説明】
【発明の詳細な説明】
【産業上の利用分野】
【０００１】  本発明は、一列に配置した複数の玉貸機等に投入した紙幣を搬送する紙幣搬送コンベアーに関する。
【背景技術】
【０００２】  遊技場におけるパチンコ台は、例えば、玉貸機をサンドイッチ状にはさみ並設して１つのパチンコ台列を構成し、これらのパチンコ台及び玉貸機を背中合せに配置して、通称「島」という１つの管理体制下にはいる。そして、これら島がいくつか集まって１つの遊技場を構成する。【０００３】  そして、これら玉貸機に投入された硬貨については、パチンコ台列一端側に設けた搬送装置により回収されることが知られている（実開昭５２−１４６３７号公報参照）。紙幣については、その特性から硬貨のように取り扱うことができず、玉貸機ごとに設けた金庫に収納されることが知られている（特開昭５３−３３９９号公報参照）。しかし、これでは、玉貸機ごとに紙幣回収金庫から紙幣を回収しなければならないので、店員に負担がかかり、客に対しても迷惑がかかってしまう。【０００４】  そこで、図８に示すように、各玉貸機６０の前面６１側から紙幣を受け入れて、その紙面が上下方向に沿う姿勢で背面６２側に送り出し、この紙幣を紙幣搬送コンベアー６３により受け取り、パチンコ台６４列一端側に設けた紙幣回収金庫に回収するものが知らている（特公平４−５６２０号公報参照）。この挟持搬送装置である紙幣搬送コンベアー６３は、その挟持搬送路が複数の搬送ユニットをパチンコ台６４列に沿って一連に連続して設置されて構成され、それらの搬送ユニットの各々の挟持搬送路が、上下方向で略同じ高さ位置に設けられる１の無端回動ベルトと、このベルトとの協同で紙幣を挟持する複数の挟持輪体とで構成され、この無端回動ベルトの駆動で紙幣が挟持されると共に、これらの搬送ユニットの挟持搬送路に沿って規制部を設け、搬送中である紙幣の非挟持部分の倒れを規制しているものである。
【発明が解決しようとする課題】
【０００５】  しかしながら、上述の従来の紙幣搬送コンベアー６３では、紙幣をその紙面が上下方向に沿う姿勢で搬送するため、無端回動ベルト及び紙幣の自重による紙幣の蛇行等の不具合が発生したり、紙幣の非挟持部分の倒れを規制する規制部を設ける必要が生ずる。
【０００６】  また、この紙幣搬送コンベアー６３では、複数の搬送ユニットをパチンコ台６４列に沿って一連に連結して構成され、それらの搬送ユニットのそれぞれに駆動モータが設けられるものであるため、構造が複雑になり、前述の規制部と相俊って、紙幣が詰まった場合、紙幣を取り除きにくい構造になっている。
【０００７】  そこで、本発明は、上記事情に鑑みてなされたもので、紙幣などの蛇行等がなく、構造を簡単にして、詰まった紙幣を取り除き易い紙幣搬送コンベアーを提供することを課題とする。
【課題を解決するための手段】
【０００８】  上記課題を解決するため、本発明の紙幣搬送コンベアーは、下部開放のコンベアー本体内に収納しかつ駆動部により前記コンベアー本体全長にわたりベルト面を水平にして回転する主動無端ベルトと、該主動無端ベルトに下方から接して同方向に走行し玉貸機ごとに設けた複数の従動無端ベルトと、該複数の従動無端ベルトに前記主動無端ベルトの駆動力をそれぞれ伝達する伝動部と、前記複数の従動無端ベルト間における受渡し部にそれぞれ設けた紙幣受入口と、からなり、前記主動無端ベルトと前記従動無端ベルトとの間に紙幣をはさみ搬送するものであり、
また、前記コンベアー本体をその任意箇所で上流側コンベアー本体と下流側コンベアー本体とに分け、これら上流側及び下流側コンベアー本体間に分離コンベアーを設けても良く、
更に、前記分離コンベアーは、上流側コンベアー本体内の主動及び従動無端ベルトと下流側コンベアー本体内の主動及び従動無端ベルトとの間に近在して回転する分離側主動及び従動無端ベルトと、これら両無端ベルトを収納する分離コンベアー本体とからなり、前記上流側及び下流側コンベアー本体のいずれか一方に前記分離コンベアー本体をいずれか他方から離脱可能に取り付けたものである。
【作用】
【０００９】  上記構成によれば、紙幣受入口から紙幣をさし入れると、紙幣の先端が主動無端ベルトに接し、主動無端ベルトの走行方向に曲がり、主動無端ベルトと１の従動無端ベルトの上流端とで紙幣の先端を水平にはさみ込み、そのまま紙幣を下流側に搬送し、順次従動無端ベルトを通過して主動無端ベルトの最下流まで双方の無端ベルトの自重による蛇行がない状態で紙幣を搬送して、次の工程に移す。この際、搬送途中で紙幣が詰ったら、下部開放のコンベアー本体内の双方の無端ベルトを下方からわずかに延ばすことにより、紙幣を取り除ける。
【００１０】  また、紙幣搬送コンベアーの任意箇所に分離コンベアーがあるから、上流側コンベアー本体と下流側コンベアー本体との間に物体を通過させることができる。
【００１１】  また、上流側コンベアー本体及び下流側コンベアー本体のいずれかに分離側コンベアー本体を寄せれば、上流側及び下流側コンベアー本体の間に物体を通過させることができる。
【実施例】
【００１２】  以下、本発明の実施例を図１〜７に基づいて詳述する。
図１は本発明の紙幣搬送コンベアーをパチンコ台列に設置した状態を示す側面図、図２は本発明の紙幣搬送コンベアーの駆動部側を示す側面図、図３は紙幣搬送コンベアーの従動部側を示す側面図、図４はパチンコ台列の断面図である。図において、１は紙幣搬送コンベアーを示し、この紙幣搬送コンベアー１は、パチンコ台２及び玉貸機３を複数並設して構成した一つのパチンコ台列４ごとに設置される。【００１３】  前記玉貸機３は、いわゆる台間玉貸機であり、これに紙幣を投入すると、その金額に応じたパチンコ玉が排出されるから、客はそのパチンコ玉をパチンコ台２に投入することで遊技をすることができるものである。【００１４】  前記パチンコ台列４は、具体的にパチンコ台２と玉貸機３とを１台づつ交互に複数並設して構成し、１台の玉貸機３につき１台の紙幣識別機５を設置して構成しているが、特にこれに限定しない。このパチンコ台列４は、床面に強固に立設している本柱６により支持され、前記紙幣搬送コンベアー１は、パチンコ台列４、すなわち複数のパチンコ台２及び玉貸機３の前面上方部に本柱６により支持するブラケット７（図４に示す）に固定して配置してなる。この紙幣搬送コンベアー１を含むパチンコ台列４のパチンコ台２及び玉貸機３を背中合せに２列配置し、両端につま板８を置いて、「島」という１つの管理体制とし、この島９がいくつか集まって１つの遊技場を構成することは従来例と同様である。【００１５】  前記紙幣搬送コンベアー１は、下部開放のコンベアー本体１０と、該コンベアー本体１０内に収納しかつ駆動部１１によりコンベアー本体１０全長にわたりベルト面を水平にして回転する主動無端ベルト１２と、コンベアー本体１０内に収納しかつ主動無端ベルト１２に下方から接して同方向に走行し玉貸機３ごとに設けた複数の従動無端ベルト１３と、複数の従動無端ベルト１３に主動無端ベルト１２の駆動力をそれぞれ伝達する伝動部１４と、複数の従動無端ベルト１３間における受渡し部１５にそれぞれ設けた紙幣受入口１６と、からなり、該紙幣受入口１６から受け入れた紙幣１７を主動無端ベルト１２と従動無端ベルト１３との間にはさみ搬送するものである。【００１６】  前記コンベアー本体１０は、その下部に従動無端ベルト１３ごとにカバー板２０をちょう番２１により開閉可能に設け、このカバー板２０をレバー２２によりロックしてなる。このカバー板２０は、コンベアー本体１０内に紙幣１７が詰った際、開けて取り出すためのものである。【００１７】  前記主動無端ベルト１２は、図２、３に示すように、駆動プーリ２３と従動プーリ２４との間にベルト面を水平に掛け、従動プーリ２４側にはリターンロール２５、緊張ロール２６が掛けられ、スプリング２７のばね力により主動無端ベルト１２が一定張力になるように張られている。そして、主動無端ベルト１２の中間には前述の伝動部１４を介して従動無端ベルト１３に回転力を付与するためのロール２８、２９が必要数設けられている。更に、前述の駆動プーリ２３と駆動部１１のモータ３０の軸に設けたプーリ３１とにはベルト３２が掛けられ、主動無端ベルト１２が回転するようになっている。【００１８】  前記従動無端ベルト１３は、パチンコ台２の１台分の長さがあり、端部にはそれぞれヘッドプーリ３３とテールプーリ３４とがあり、それらにベルト面を水平に掛けられている。そして、これら複数の従動無端ベルト１３は、前述の主動無端ベルト１２に掛かっている前記伝動部１４の駆動ロール３５及びベルト（図示せず）を介してヘッドプーリ３３により回転する。【００１９】  前記紙幣受入口１６は、パチンコ台列４に設置された玉貸機３の前面上方部に位置し、その紙幣受入口１６に紙幣識別機５が直接取り付けられている。従って、紙幣識別機５に受け入れられた紙幣（真正な紙幣）１７は、紙幣受入口１６から紙幣搬送コンベアー１内に入り、主動及び従動無端ベルト１２及び１３にはさまれて搬送される。【００２０】  以上のように構成された紙幣搬送コンベアー１は、図１、４に示すように、幕板４０により覆われ、この幕板４０は本柱６に取り付けたブラケット７に開閉自在に取り付けられている。従って、紙幣搬送コンベアー１は、これに紙幣１７が詰まった場合、幕板４０を開き、更にコンベアー本体１０の下部にあるレバー２２によりカバー板２０を開くことで、紙幣１７を容易に取り出せる。このコンベアー本体１０下部にあるカバー板２０が開くようになっているのは、パチンコ台２の背が高いため、下からのほうが詰った紙幣１７を取り出し易いからである。【００２１】  なお、図１、４中４１は紙幣１７を収納するための紙幣回収金庫を示し、図２、３中４２は紙幣通過検出器を示す。
次に、上記構成になる紙幣搬送コンベアー１の作動について説明する。【００２２】  島８における遊技機機列４のいずれかのパチンコ台２でゲームを行いたいと思う人は、まず、玉貸機３に紙幣１７を投入して、パチンコ玉を借りる必要がある。【００２３】  例えば、玉貸機３から分離した紙幣識別機５に紙幣１７を投入すると、紙幣１７はこの紙幣識別機５を通過して、真正であればその金額に応じて玉貸機３に払出信号が伝達され、その払出信号に基づいて玉貸機３からパチンコ玉が払い出される。【００２４】  一方、紙幣１７が紙幣識別機５に入ると、紙幣１７が搬送されている時にのみ作動する紙幣搬送コンベアー１がオンして作動を開始し、紙幣１７は紙幣識別機５により送出され紙幣受入口１６からコンベアー本体１０内に入る。この際、紙幣搬送コンベアー１は、すでに駆動部１１のモータ３０に電源が入っているから、プーリ３１、ベルト３２を介して駆動プーリ２３が回転し、主動無端ベルト１２が回転する。この主動無端ベルト１２の回転により、この回転力は伝動部１４を介して従動無端ベルト１３を回転させる。従って、紙幣受入口１６から中に入った紙幣１７は、主動無端ベルト１２に当接し、これの回転方向に紙幣１７が湾曲して行き、従動無端ベルト１３の上流端に進みこれら両無端ベルト１２、１３の間に挟まり、島９の端にある紙幣回収金庫４１に搬送される。この間紙幣搬送コンベアー１は、紙幣１７の搬送状態を紙幣通過検知器４２により逐次検知し、搬送中の紙幣１７がすべて紙幣回収金庫４１に収納されるまで作動を続ける。そして、この紙幣回収金庫４１が満杯になったら、幕板４０を開き、紙幣回収金庫４１を開け、中の紙幣１７を集金する。【００２５】  そして、紙幣搬送コンベアー１途中で搬送中の紙幣１７が詰まったら、その位置にある幕板４０を開いて下方からカバー板２０を開ければ、紙幣搬送コンベアー１内が良く見え、かつ通常の大人であれば容易に手が届く範囲であるから、回復作業を容易にできる。【００２６】  図７は本発明の他の実施例を示すもので、この紙幣搬送コンベアー１ａと図１〜６に示す実施例との相違点は、前述のコンベアー本体１０をその任意箇所で上流側コンベアー本体５０と下流側コンベアー本体５１とに分け、これら上流側及び下流側コンベアー本体５０及び５１間に分離コンベアー５２を設けた点にある。この紙幣搬送コンベアー１ａは、島９内に不織布などによりパチンコ玉を磨く方式の研磨機（物体）５３が設置してある場合に、必要となるものであり、分離コンベアー５２があることにより、不織布を交換する時に研磨機５３の一部あるいは全部を取り外すことができるものである。【００２７】  上流側及び下流側コンベアー本体５０及び５１には、いずれも駆動部１１ａが設けられ、コンベアー本体１０とほぼ同一の構造をなし、その他の構成についても前記紙幣搬送コンベアー１とほぼ同一である。【００２８】  前記分離コンベアー５２は、上流側コンベアー本体５０内の主動及び従動無端ベルト１２ａ及び１３ａと下流側コンベアー本体５１内の主動及び従動無端ベルト１２ｂ及び１３ｂとの間に近在して回転する分離側主動無端ベルト５４及び分離側従動無端ベルト５５と、これら両無端ベルト５４、５５を収���する分離コンベアー本体５６とからなり、上流側及び下流側コンベアー本体５０及び５１のいずれか一方に分離コンベアー本体５６をいずれか他方から離脱可能に取り付けたものである。この実施例では、上流側コンベアー本体５０に分離コンベアー本体５６をピン５７により開閉可能に取り付けている。この分離コンベアー５２の駆動は、下流側コンベアー本体５１内の主動無端ベルト１２ｂのテールプーリー２４ａと、上流側コンベアー本体５０内の主動無端ベルト１２ａのヘッドプーリー５８とにより、連れ回わりさせることにより行なわれる。なお、図７中５９は、いずれも紙幣１７を案内するためのガイドロールである。この紙幣搬送コンベアー１ａのその他の構成・作用については、図１〜６に示す実施例と同様なので、図面に符号を付してその説明を省略する。
【発明の効果】
【００２９】  以上詳述したように、本発明の紙状物搬送コンベアーによれば、紙幣受入口から紙幣をさし入れると、紙幣の先端が主動無端ベルトに接し、主動無端ベルトの走行方向に曲がり、主動無端ベルトと１の従動無端ベルトの上流端とで紙幣の先端を水平にはさみ込み、そのまま紙幣を下流側に搬送し、順次従動無端ベルトを通過して主動無端ベルトの最下流まで双方の無端ベルトの自重による蛇行がない状態で紙幣を搬送して、次の工程に移す。この際、搬送途中で紙幣が詰ったら、下部開放のコンベアー本体内の双方の無端ベルトを下方からわずかに延ばすことにより、紙幣を取り除ける。従って、紙幣識別機ごとに駆動モータを設ける必要がなくなり、また、紙幣面を水平にして搬送するから、紙幣の蛇行、倒れもなくそのための装置が必要なくなり、その分構造が単純になり、更に単純な構造のため紙幣のつまりの発生自体すくないが、仮に紙幣がつまっても下部を開き、下方から主動及び従動無端ベルトをわずかに延せば、紙幣を容易に取り出すことができ、メンテナンス全体がきわめて容易になる。
【００３０】  また、紙幣搬送コンベアーの任意箇所に分離コンベアーがあるから、上流側コンベアー本体と下流側コンベアー本体との間に物体を通過させることができる。従って、上述の効果に加えて島内に設置している各種関連機器等の物体を取り出すことができ、それら関連機器のメンテナンスがきわめて容易になる。
【００３１】  また、上流側コンベアー本体及び下流側コンベアー本体のいずれかに分離側コンベアー本体を寄せれば、上流側及び下流側コンベアー本体の間に物体を通過させることができる。従って、上述と同様の効果を得ることができる。
【図面の簡単な説明】
【図１】本発明の紙幣搬送コンベアーをパチンコ台列に設置した状態を示す側面図である。
【図２】本発明の紙幣搬送コンベアーの駆動部側を示す側面図である。
【図３】紙幣搬送コンベアーの従動部側を示す側面図である。
【図４】パチンコ台列の断面図である。
【図５】紙幣回収金庫の設置状態を示す正面図である。
【図６】図４の要部を拡大した断面図である。
【図７】本発明の他の実施例を示す側面図である。
【図８】従来例を示す図４と同状の断面図である。
【符号の説明】
１、１ａ、６３    紙幣搬送コンベアー
２、６４    パチンコ台                ３、６０  玉貸機
４    パチンコ台列                    ５      紙幣識別機
１０    コンベアー本体                １１、１１ａ  駆動部
１２、１２ａ、１２ｂ    主動無端ベルト
１３、１３ａ、１３ｂ    従動無端ベルト
１４    伝動部                        １５    受渡し部
１６    紙幣受入口                    １７    紙幣
５０    上流側コンベアー本体          ５１    下流側コンベアー本体
５２    分離コンベアー                ５３    研磨機（物体）
５４    分離側主動ベルト              ５５    分離側従動ベルト
５６    分離コンベアー本体
【図１】
2005011306.tif 000003
【図２】
2005011306.tif 000004
【図３】
2005011306.tif 000005
【図４】
2005011306.tif 000006
【図５】
2005011306.tif 000007
【図６】
2005011306.tif 000008
【図７】
2005011306.tif 000009
【図８】
2005011306.tif 000010
【手続補正書】
【提出日】平成15年9月3日(2003.9.3)
【手続補正１】
【補正対象書類名】明細書
【補正対象項目名】全文
【補正方法】変更
【補正の内容】
【発明の詳細な説明】
【特許請求の範囲】
【請求項１】
コンベアー本体と、該記コンベアー本体内に収納しかつ駆動部により前記コンベアー本体全長にわたりベルト面を水平にして変位する主動無端ベルトと、前記コンベアー本体内に収納しかつ前記主動無端ベルトに下方から接して同方向に走行し玉貸機ごとに設けた複数の従動無端ベルトと、該複数の従動無端ベルトに前記主動無端ベルトの駆動力をそれぞれ伝達する伝動部と、前記複数の従動無端ベルト間における受渡し部にそれぞれ設けた紙幣受入口と、
を備え、前記コンベアー本体は、その任意箇所で上流側コンベアー本体と下流側コンベアー本体とに分れ、これら上流側及び下流側コンベアー本体間に分離コンベアーを設けたことを特徴とする紙幣搬送コンベアー。
【請求項２】
前記分離コンベアーは、上流側コンベアー本体内の主動及び従動無端ベルトと下流側コンベアー本体内の主動及び従動無端ベルトとの間に近在して変位する分離側主動及び分離側従動無端ベルトと、これら両無端ベルトを収納する分離コンベアー本体とからなり、前記上流側及び下流側コンベアー本体のいずれか一方に前記分離コンベアー本体をいずれか他方から離脱可能に取り付けた請求項１記載の紙幣搬送コンベアー。
【発明の詳細な説明】
【０００１】
【産業上の利用分野】
本発明は、一列に配置した複数の玉貸機等に投入した紙幣を搬送する紙幣搬送コンベアーに関する。
【０００２】
【背景技術】  遊技場におけるパチンコ台は、例えば、その両端側面に玉貸機をはさみ並設して１つのパチンコ台列を構成し、これらのパチンコ台及び玉貸機を背中合せに配置して、通称、島という形体に構成され、これらの島がいくつか集まって１つの遊技場が形成される。【０００３】 この種の島は、その島の長手方向に沿って各パチンコ台に玉補給するための玉補給コンベアーが設けられ、この玉補給コンベアーには、玉補給するための補給タンクが設置される。前記補給タンクは、通常、島の略中央部に設けられ、該玉補給タンクには玉の汚れを落とすための研磨装置が設けられている（例えば、特許文献１参照）。【０００４】
【特許文献１】実願昭６３−３４７６１号（実開平１−１３８４８９号）マイクロフィルム（第８頁第１５行〜第９頁第３行、第１２頁第６行〜第１３行、第１図）
【０００５】 この特許文献１において、紙幣搬送コンベアーは島を構成するパチンコ台の前面より後側の上方に設置され、紙幣を肉厚（紙厚）方向に左右に挟持し紙幣の長手方向を上下にして搬送する構成となっているため、紙幣搬送コンベアーの長手方向に対し可動搬送ユニットを上下方向に揺動することができない。【０００６】 そのため、この可動搬送ユニットは上手側または下手側を揺動軸心として略水平に揺動可能に開閉し、島の前後および左右に対し中央部に設置された研磨装置にアクセスしてメンテナンスを行なうように形成されている。【０００７】
【発明が解決しようとする課題】
したがって、揺動により可動搬送ユニットを開いたとき、この可動搬送ユニットの先端部がパチンコ台列の前面側に突き出るため、研磨装置やその他のメンテナンスの際、障害になって保守作業を安全に行なうことができない。
さらに、ホール等の要求に応じて、幕板内に島全長に渡り遊技中、各パチンコ台から紙幣を投入して玉を貸出すとき、投入された紙幣を島端に設けた紙幣金庫に搬送するための紙幣搬送コンベアーが設置される。よって、紙幣搬送コンベアーが補給タンクの手前側に設けられているために、研磨装置の交換または玉研磨用の布の交換を容易に行なうことが出来ない。
【０００８】  本発明は、上記の問題を解決するためになされたもので、紙幣搬送コンベアーを上流側と下流側とに分け、前記上流側と下流側との間に離脱可能な分離コンベアーを設けることにより、玉研磨用の布を交換する際、分離コンベアーを開閉し、補給タンクの前面を開放してアクセスできるようにして、研磨装置の交換または玉研磨用の布の交換を可能にした紙幣搬送コンベアーを提供することを目的とする。
【０００９】
【課題を解決するための手段】
請求項１記載の本発明は、コンベアー本体と、該コンベアー本体内に収納しかつ駆動部により前記コンベアー本体全長にわたりベルト面を水平にして変位する主動無端ベルトと、前記コンベアー本体内に収納しかつ前記主動無端ベルトに下方から接して同方向に走行し玉貸機ごとに設けた複数の従動無端ベルトと、該複数の従動無端ベルトに前記主動無端ベルトの駆動力をそれぞれ伝達する伝動部と、前記複数の従動無端ベルト間における受渡し部にそれぞれ設けた紙幣受入口と、
を備え、前記コンベアー本体は、その任意箇所で上流側コンベアー本体と下流側コンベアー本体とに分れ、これら上流側及び下流側コンベアー本体間に分離コンベアーを設けたことを特徴とする。
請求項２記載の本発明は、請求項１記載の発明の構成に加えて、前記分離コンベアーは、上流側コンベアー本体内の主動及び従動無端ベルトと下流側コンベアー本体内の主動及び従動無端ベルトとの間に近在して変位する分離側主動及び分離側従動無端ベルトと、これら両無端ベルトを収納する分離コンベアー本体とからなり、前記上流側及び下流側コンベアー本体のいずれか一方に前記分離コンベアー本体をいずれか他方から離脱可能に取り付けたことを特徴とする。
【００１０】
【作用】
請求項１記載の本発明によれば、本発明は分離コンベアーが下方に開くため、紙幣搬送コンベアーに設けられる装置やその他のメンテナンス作業の際に障害となることがなく、安全性において優れた構造となっている。
【００１１】 請求項２記載の発明によれば、分離コンベアーが上流側及び下流側コンベアーのどちらか一方からも開閉することができるので、紙幣搬送コンベアーに設けられる装置やその他のメンテナンス作業を迅速に行なうことができる。
【００１２】
【実施例】  以下、本発明の実施の形態に係る紙幣搬送コンベアーを図１〜図３に基づいて詳述する。
図１は本発明の紙幣搬送コンベアーをパチンコ台列に設置した状態を示す側面図、図２はパチンコ台列の断面図、図３は紙幣搬送コンベアーの側面図である。
図１および図２において、１ａは紙幣搬送コンベアーを示し、この紙幣搬送コンベアー１ａは、パチンコ台２及び玉貸機３を複数並設して構成した一つのパチンコ台列４ごとに設置される。【００１３】  前記玉貸機３は、いわゆる台間玉貸機であり、これに紙幣を投入すると、その金額に応じたパチンコ玉が排出されるから、客はそのパチンコ玉をパチンコ台２に投入することで遊技をすることができるものである。【００１４】  前記パチンコ台列４は、具体的にパチンコ台２と玉貸機３とを１台づつ交互に複数並設して構成し、１台の玉貸機３につき１台の紙幣識別機５を設置して構成するが、特にこれに限定しない。このパチンコ台列４は、床面に強固に立設している本柱６により支持される。【００１５】  前記紙幣搬送コンベアー１ａは、パチンコ台列４、すなわち複数のパチンコ台２及び玉貸機３の前面上方部に本柱６により支持するブラケット７（図２に示す）に固定して配置される。この紙幣搬送コンベアー１ａを含むパチンコ台列４のパチンコ台２及び玉貸機３を背中合せに２列に配置し、両端につま板８を設けて、島９を構成する。この島９がいくつか集まって１つの遊技場が形成される。島９の前面上部には、紙幣搬送コンベアー１ａを覆うため幕板４０が開閉自在に設けられている。【００１６】  さらに、紙幣搬送コンベアー１ａには、後述する従動無端ベルト１３ａ及び１３ｂに後述する主動無端ベルト１２ａ及び１２ｂの駆動力を伝達する伝動部１４と、複数の従動無端ベルト１３ａ及び１３ｂ間における受渡し部１５にそれぞれ設けた紙幣受入口１６が設けられ、該紙幣受入口１６から受け入れた紙幣１７を主動無端ベルト１２ａ及び１２ｂと従動無端ベルト１３ａ及び１３ｂとの間にはさみ搬送する機能を有する。なお、図１中、４１は紙幣１７を収納するための紙幣回収金庫を示し、図３中、４２は紙幣通過検出器を示す。【００１７】 紙幣搬送コンベアー１ａは、下部開放のコンベアー本体１０がその任意箇所、例えば、研磨機５３が出し入れされる位置で上流側コンベアー本体５０と下流側コンベアー本体５１とに分けられる（図３参照）。この場合、上流側コンベアー本体５０と下流側コンベアー本体５１のベルト面、すなわち、主動無端ベルト１２ａ及び１２ｂのベルト面は略同一水平面上に設けられる。
前記上流側コンベアー５０は、コンベアー本体１０内に収納され、かつ駆動部１１ａによりコンベアー本体１０全長にわたりベルト面を水平にして変位する主動無端ベルト１２ａと、前記コンベアー本体１０内に収納され、かつ主動無端ベルト１２ａに下方から接して同方向に走行する玉貸機３（図１参照）ごとに設けた複数の従動無端ベルト１３ａとから構成される。【００１８】 前記下流側コンベアー５１は、コンベアー本体１０内に収納され、かつ駆動部１１ａによりコンベアー本体１０全長にわたりベルト面を水平にして変位する主動無端ベルト１２ｂと、前記コンベアー本体１０内に収納され、かつ主動無端ベルト１２ｂに下方から接して同方向に走行する玉貸機３（図１参照）ごとに設けた複数の従動無端ベルト１３ｂとから構成される。【００１９】 前記上流側コンベアー本体５０と下流側コンベアー本体５１との間には、分離コンベアー５２が設けられる。前記分離コンベアー５２は、上流側コンベアー本体５０内の主動無端ベルト１２ａ及び従動無端ベルト１３ａと下流側コンベアー本体５１内の主動無端ベルト１２ｂ及び従動無端ベルト１３ｂとの間に近在して変位する分離側主動無端ベルト５４及び分離側従動無端ベルト５５と、前記主動無端ベルト５４及び従動無端ベルト５５を収納する分離コンベアー本体５６とからなり、上流側及び下流側コンベアー本体５０及び５１のいずれか一方に分離コンベアー本体５６をいずれか他方から離脱可能に取り付けたものである。【００２０】 この実施の形態では、上流側コンベアー本体５０に分離コンベアー本体５６をピン５７により開閉可能に取り付けている。この分離コンベアー５２の駆動は、下流側コンベアー本体５１に回転自在に軸支される主動無端ベルト１２ｂのテールプーリー２４ａと、上流側コンベアー本体５０内の主動無端ベルト１２ａのヘッドプーリー５８とにより、連れ回わりさせることにより行なわれる。なお、図３中、５９は、いずれも紙幣１７を案内するためのガイドロールである。【００２１】 以上のように構成された紙幣搬送コンベアー１ａは、研磨機５３の交換または該研磨機５３の不織布の交換をする場合に、分離コンベアー本体５６の一端側を下方に回動、例えば、分離コンベアー本体５６を上流側コンベアー５０側に略９０度回動させることにより開口部が形成される（図３参照）。
この状態で、研磨機５３の点検及び該研磨機５３に備えるパチンコ玉を磨く不織布（図示しない）の交換を開口部から容易に行なうことができる。【００２２】
【発明の効果】
以上説明したように、本発明の紙幣搬送コンベアーによれば、紙幣搬送コンベアーの任意箇所に分離コンベアーが設けられるから、上流側コンベアー本体と下流側コンベアー本体との間に物体を通過させることができる。従って、島内に設置している各種関連機器等の物体を取り出すことができ、それら関連機器のメンテナンスがきわめて容易になる。
【００２３】 また、上流側コンベアー本体及び下流側コンベアー本体のいずれかに分離側コンベアー本体を寄せれば、上流側及び下流側コンベアー本体の間に物体を通過させることができる。従って、上述と同様の効果を得ることができる。
【図面の簡単な説明】
【図１】  本発明の紙幣搬送コンベアーをパチンコ台列に設置した状態を示す側面図である。
【図２】  パチンコ台列の断面図である。
【図３】  図１に示す紙幣搬送コンベアー側面図である。
【符号の説明】
１ａ…紙幣搬送コンベアー ２…パチンコ台
３…玉貸機                          ４…パチンコ台列
５…紙幣識別機                      １１ａ…駆動部
１２ａ、１２ｂ…主動無端ベルト １３ａ、１３ｂ…従動無端ベルト
１４…伝動部                          １５…受渡し部
１６…紙幣受入口                      １７…紙幣
５０…上流側コンベアー本体            ５１…下流側コンベアー本体
５２…分離コンベアー                  ５３…研磨機
５４…分離側主動ベルト                ５５…分離側従動ベルト
５６…分離コンベアー本体
【手続補正２】
【補正対象書類名】図面
【補正対象項目名】図１
【補正方法】変更
【補正の内容】
【図１】
2005011306.tif 000011
【手続補正３】
【補正対象書類名】図面
【補正対象項目名】図２
【補正方法】変更
【補正の内容】
【図２】
2005011306.tif 000012
【手続補正４】
【補正対象書類名】図面
【補正対象項目名】図３
【補正方法】変更
【補正の内容】
【図３】
2005011306.tif 000013
【手続補正５】
【補正対象書類名】図面
【補正対象項目名】図４
【補正方法】削除
【補正の内容】
【手続補正６】
【補正対象書類名】図面
【補正対象項目名】図５
【補正方法】削除
【補正の内容】
【手続補正７】
【補正対象書類名】図面
【補正対象項目名】図６
【補正方法】削除
【補正の内容】
【手続補正８】
【補正対象書類名】図面
【補正対象項目名】図７
【補正方法】削除
【補正の内容】
【手続補正９】
【補正対象書類名】図面
【補正対象項目名】図８
【補正方法】削除
【補正の内容】